(57)【要約】【課題】　著作物使用者と著作者などとの間の事務処理を円滑に行うことができるようにする作品登録構成を提供せんとするものである。【解決手段】　作品データ格納部１と、使用申請データ格納部２と、使用申請に含まれる作品データが、作品データ格納部１に格納されている中にあるかを判定する判定部３と、使用申請には含まれるが作品データ格納部１中にない作品データに関し、仮登録を行う登録部４と、使用許諾に伴う使用申請中の各作品の著作権料の請求処理用データを作成する請求計算部５と、仮登録された作品データがある場合に使用申請データ格納部２のデータを基に作品届提出依頼用データを作成するデータ作成部６と、提出された作品届に対応する作品データを作品届のあるデータとして更新する出典更新部７と、作品届のある作品データに関し著作権料納付による各音楽作品の著作者などへの分配金額を計算する分配金額計算部８とを有している。【選択図】　　　　図２
2004046890.tif 000002
【特許請求の範囲】
【請求項１】
著作物の使用申請に関するアクセスがなされた際に、コンピュータの作品データ格納手段に登録されている著作物の作品データ群中に、上記使用申請に含まれる著作物の作品データがあるか否かを判定するステップと、
　上記使用申請には含まれるが、著作物の作品データ群中に存在しない著作物の作品データを、新たな作品データとして上記作品データ格納手段に仮登録するステップと、
　著作物の使用許諾に伴う上記使用申請に含まれる各著作物の著作権料の請求処理用のデータを作成し出力するステップと
を、コンピュータが実行することを特徴とする作品登録方法。
【請求項２】
著作物の使用申請に関するアクセスがなされた際に、コンピュータの作品データ格納手段に登録されている著作物の作品データ群中に、上記使用申請に含まれる著作物の作品データがあるか否かを判定するステップと、
　上記使用申請には含まれるが、著作物の作品データ群中に存在しない著作物の作品データを、新たな作品データとして上記作品データ格納手段に仮登録するステップと、
　著作物の使用許諾に伴う上記使用申請に含まれる各著作物の著作権料の請求処理用のデータを作成し出力するステップと、
　仮登録された上記著作物の作品データを基に、作品届提出依頼用のデータ又は公開用のデータを作成し、出力するステップと、
　上記提出依頼又は公開が行われて、著作者乃至著作権者から作品届に関するアクセスがなされた際に、上記作品データ格納手段に対し、該作品届に対応する作品データを、著作者乃至著作権者からの作品届があるデータとして更新するステップと、
　作品届のある作品データに関し、上記著作権料の納付があった場合の各著作物の著作者乃至著作権者への分配金額を計算して出力するステップと
を、コンピュータが実行することを特徴とする作品登録方法。
【請求項３】
上記仮登録の際、少なくともその著作物とその著作者乃至著作権者とを特定できる作品コードを作品データに補充し、上記作品データ格納手段に登録することを特徴とする請求項１又は請求項２記載の作品登録方法。
【請求項４】
仮登録された作品データは、必要な他のデータの追加を含む更新処理により、上記作品データ格納手段に対し本登録がなされることを特徴とする請求項１〜請求項３いずれか１つに記載の作品登録方法。
【請求項５】
著作物の作品データを格納する作品データ格納手段と、
　著作物の使用申請に関するデータを格納する使用申請データ格納手段と、
　著作物の使用申請に含まれる著作物の作品データが、前記作品データ格納手段に格納されている著作物の作品データ群中にあるか否かを判定する判定手段と、
　上記使用申請には含まれるが、著作物の作品データ群中に存在しないと判定された著作物の作品データに関し、新たな作品データを仮登録するものとして、上記作品データ格納手段に格納する登録手段と、
　著作物の使用許諾に伴う上記使用申請に含まれる各著作物の著作権料の請求処理用のデータを作成し出力する請求計算手段と
を有することを特徴とする作品登録装置。
【請求項６】
著作物の作品データを格納する作品データ格納手段と、
　著作物の使用申請に関するデータを格納する使用申請データ格納手段と、
　著作物の使用申請に含まれる著作物の作品データが、前記作品データ格納手段に格納されている著作物の作品データ群中にあるか否かを判定する判定手段と、
　上記使用申請には含まれるが、著作物の作品データ群中に存在しないと判定された著作物の作品データに関し、新たな作品データを仮登録するものとして、上記作品データ格納手段に格納する登録手段と、
　著作物の使用許諾に伴う上記使用申請に含まれる各著作物の著作権料の請求処理用のデータを作成し出力する請求計算手段と、
　前記作品データ格納手段に仮登録された上記著作物の作品データがある場合に、上記使用申請データ格納手段に格納されたデータを基に、作品届提出依頼用のデータ又は公開用のデータを作成し、出力するデータ作成手段と、
　上記提出依頼又は公開により、著作者乃至著作権者から提出された作品届に対応する作品データを、著作者乃至著作権者からの作品届があるデータとして更新する出典更新手段と、
　作品届のある作品データに関し、上記著作権料の納付があった場合の各著作物の著作者乃至著作権者への分配金額を計算して出力する分配金額計算手段と
を有することを特徴とする作品登録装置。
【請求項７】
上記登録手段による仮登録の際、少なくともその著作物とその著作者乃至著作権者とを特定できる作品コードを作品データに補充し、作品データ格納手段及び使用申請データ格納手段に格納することを特徴とする請求項５又は請求項６記載の作品登録装置。
【請求項８】
仮登録された作品データは、上記登録手段による必要な他のデータの追加を含む更新処理を行って、上記作品データ格納手段に本登録することを特徴とする請求項５〜請求項７いずれか１つに記載の作品登録装置。
【請求項９】
著作物の使用申請に関するアクセスがなされた際に、コンピュータの作品データ格納手段に登録されている著作物の作品データ群中に、上記使用申請に含まれる著作物の作品データがあるか否かを判定するステップと、
　上記使用申請には含まれるが、著作物の作品データ群中に存在しない著作物の作品データを、新たな作品データとして上記作品データ格納手段に仮登録するステップと、
　著作物の使用許諾に伴う上記使用申請に含まれる各著作物の著作権料の請求処理用のデータを作成し出力するステップと
をコンピュータに実行させるコンピュータ・プログラム。
【請求項１０】
著作物の使用申請に関するアクセスがなされた際に、コンピュータの作品データ格納手段に登録されている著作物の作品データ群中に、上記使用申請に含まれる著作物の作品データがあるか否かを判定するステップと、
　上記使用申請には含まれるが、著作物の作品データ群中に存在しない著作物の作品データを、新たな作品データとして上記作品データ格納手段に仮登録するステップと、
　著作物の使用許諾に伴う上記使用申請に含まれる各著作物の著作権料の請求処理用のデータを作成し出力するステップと、
　仮登録された上記著作物の作品データを基に、作品届提出依頼用のデータ又は公開用のデータを作成し、出力するステップと、
　上記提出依頼又は公開が行われて、著作者乃至著作権者から作品届に関するアクセスがなされた際に、上記作品データ格納手段に対し、該作品届に対応する作品データを、著作者乃至著作権者からの作品届があるデータとして更新するステップと、
　作品届のある作品データに関し、上記著作権料の納付があった場合の各著作物の著作者乃至著作権者への分配金額を計算して出力するステップと
をコンピュータに実行させるコンピュータ・プログラム。
【請求項１１】
上記仮登録の際、少なくともその著作物とその著作者乃至著作権者とを特定できる作品コードを作品データに補充し、上記作品データ格納手段に登録することを特徴とする請求項９又は請求項１０記載のコンピュータ・プログラム。
【請求項１２】
仮登録された作品データは、必要な他のデータの追加を含む更新処理により、上記作品データ格納手段に対し本登録がなされることを特徴とする請求項９〜請求項１１いずれか１つに記載のコンピュータ・プログラム。
【請求項１３】
上記請求項９〜請求項１１いずれかに記載されたコンピュータ・プログラムを格納したコンピュータ読み取り可能な記録媒体。
【発明の詳細な説明】
【技術分野】
【０００１】
　本発明は、著作物の使用に伴う著作権料の徴収・分配のための作品登録方法、作品登録装置、コンピュータ・プログラム及び記録媒体に関する。
【背景技術】
【０００２】
　音楽などの著作物を使用して、各種製品の作成など（例えばＣＤアルバムの作成）が行われる場合、通常その著作物の使用に関する許諾を得る必要がある。
【０００３】
　その場合中立的な著作権管理団体が存在し、そのような著作物の使用者と著作者乃至著作権者の間に立って、許諾処理及び著作権料の請求・入金確認・分配などの一連の処理を行ってくれると、両者の利害調整が容易になり、望ましい。特に使用されている著作物が多い場合、著作物の使用者からすれば、一つ一つの著作物に対して、一々著作者乃至著作権者を特定し、許諾を得ようとすると、困難を極めることになる。また音楽の著作物等は、１つの作品でも、詞と曲・編曲などの著作者は、別のことも多く、余計複雑になるといった事情がある。
【０００４】
　そして音楽の著作物などに関しては、現実に上記のような機能を果たす著作権管理団体が存在し、使用者からの著作物使用申請を受け付け、許諾（既に著作物を使用して販売などが行われている場合は事後的な許諾を含む）、著作権料の請求・入金確認・分配などの一連の処理を行っている。
【発明の開示】
【発明が解決しようとする課題】
【０００５】
　そのような著作権管理団体は、通常多数の著作物の権利事務処理関係を扱っているため、通常著作者乃至著作権者から、著作物の作品届を受け付け、管理委託を受ける作品の内容及び分配の仕方などを含む権利関係などを規定するデータベース（作品データベース）に登録（作品登録）している。
【０００６】
　そして、著作物の使用申請があった場合、その中に含まれる著作物の作品データが、上記作品データベース中のデータとして登録されていることを確認し、その上で、該使用申請を受け付け、許諾、著作権料の請求・入金確認・分配などの処理を行っている。
【０００７】
　しかし、上記使用申請の中に、上記作品データベース中のデータとして登録されていないものが含まれている場合、作品データベース中にそのような作品データの登録が行われるまでは、許諾、著作権料の請求・入金確認・分配などの処理はできなくなってしまう。
【０００８】
　このような場合は、上記使用申請中の非登録作品のデータから、著作者乃至著作権者を割り出し、この者に対し、作品届を提出してもらうよう依頼する。そのようにして提出された届に基づき、作品データベース中に該作品のデータ登録が行われ、それから許諾、著作権料の請求・入金確認・分配などの一連の処理が行われることになる。従って、著作物の使用申請をする者は、許諾を得られるまで相当な期間を要し、著作物の使用者と著作者乃至著作権者との間の上記一連の処理が、円滑に行われないといった問題がある。
【０００９】
　本発明は、以上のような問題に鑑み創案されたもので、著作物の使用者と著作者乃至著作権者との間の一連の事務処理を円滑に行うことができるようにする作品登録方法乃至作品登録装置を提供せんとするものである。あわせてそのような作品登録方法をコンピュータに実行させるコンピュータ・プログラム及び該プログラムを記録した記録媒体についての提供も行う。
【課題を解決するための手段】
【００１０】
　本発明に係る作品登録方法は、
　著作物の使用申請に関するアクセスがなされた際に、コンピュータの作品データ格納手段に登録されている著作物の作品データ群中に、上記使用申請に含まれる著作物の作品データがあるか否かを判定するステップと、
　上記使用申請には含まれるが、著作物の作品データ群中に存在しない著作物の作品データを、新たな作品データとして上記作品データ格納手段に仮登録するステップと、
　著作物の使用許諾に伴う上記使用申請に含まれる各著作物の著作権料の請求処理用のデータを作成し出力するステップと
を、コンピュータが実行することを基本的特徴としている。
【００１１】
　著作者乃至著作権者からの作品届が提出されていない場合でも、使用申請中に含まれる作品の少なくとも著作者・著作権者の名前が明らかになっていさえすれば、作品データベース（作品データ格納手段）中に登録可能な作品データとして扱うことは可能であり、そのため、著作権料の分配処理を除き、許諾、著作権料の請求・入金確認までの処理はできることになる。上記構成では、判定ステップにおいて、使用申請には含まれるが、コンピュータの作品データ格納手段に登録されている著作物の作品データ群中に存在しないと判定された著作物の作品データを、新たな作品データとして上記作品データ格納手段に仮登録することで、著作権料の請求処理用のデータが作成・出力され、著作者乃至著作権者からの作品届の提出を待たずに、許諾、著作権料の請求・入金確認までの処理ができるようになる。すなわち作品データが仮登録された状態では、許諾、著作権料の請求・入金確認までの処理が可能となる。
【００１２】
　ここで、著作物の使用申請に関するアクセスがなされた際とは、著作物の使用者がコンピュータに直接アクセスして使用申請を行う場合のみならず、これらの者が現実に（例えば申請用紙などを使用して）申請を行い、それを受理した者がコンピュータにアクセスして、該申請の内容をインプットするような場合も含むことは言うまでもない。
【００１３】
　請求項２の構成は、上記構成を前提とし、さらに使用申請には含まれるが、上記作品データ格納手段に登録されている著作物の作品データ群中に存在しない著作物の著作者乃至著作権者からの作品届の提出を促し、それが提出された場合に、上記仮登録された作品データの出典更新を該作品データ格納手段に対して行うと共に、更新された作品データに関して、各著作物の著作者乃至著作権者への分配金額を計算して出力することで、上記著作権料の納付があった場合には、分配処理までもができるようになる。すなわち、作品データ格納手段に仮登録された作品データでは、許諾、著作権料の請求・入金確認までの処理が可能となるが、請求項２の構成のように、著作者乃至著作権者からの作品届の提出で、仮登録された作品データの出典更新が作品データ格納手段に対してなされた場合、分配までもが可能になる。
【００１４】
　より具体的な構成としては、
　著作物の使用申請に関するアクセスがなされた際に、コンピュータの作品データ格納手段に登録されている著作物の作品データ群中に、上記使用申請に含まれる著作物の作品データがあるか否かを判定するステップと、
　上記使用申請には含まれるが、著作物の作品データ群中に存在しない著作物の作品データを、新たな作品データとして上記作品データ格納手段に仮登録するステップと、
　著作物の使用許諾に伴う上記使用申請に含まれる各著作物の著作権料の請求処理用のデータを作成し出力するステップと、
　仮登録された上記著作物の作品データを基に、作品届提出依頼用のデータ又は公開用のデータを作成し、出力するステップと、
　上記提出依頼又は公開が行われて、著作者乃至著作権者から作品届に関するアクセスがなされた際に、上記作品データ格納手段に対し、該作品届に対応する作品データを、著作者乃至著作権者からの作品届があるデータとして更新するステップと、
　作品届のある作品データに関し、上記著作権料の納付があった場合の各著作物の著作者乃至著作権者への分配金額を計算して出力するステップと
を、コンピュータが実行することを特徴としている。
【００１５】
　ただし、このような分配金額の計算・出力は、入金確認がなくても可能であることは言うまでもない。
【００１６】
　ここで、著作者乃至著作権者から作品届に関するアクセスがなされた際とは、著作者乃至著作権者がコンピュータに直接アクセスして作品届を行う場合のみならず、これらの者が現実に（例えば届出用紙などを使用して）届出を行い、それを受理した者がコンピュータにアクセスして、該届出の内容をインプットするような場合も含むことは言うまでもない。
【００１７】
　上記仮登録の際、少なくともその著作物とその著作者乃至著作権者とを特定できる作品コードを作品データに補充し、上記作品データ格納手段に登録すると、例えば作品データを格納する作品データベース（作品データ格納手段）と、使用申請を受け付けた際にそのデータを格納しておくデータベース（請求項５以下の装置構成で言うところの使用申請データ格納手段）とが、別体の場合でも、作品コードをキーにして連動でき、例えば使用申請データを格納したデータベースを基に請求処理を行う際に、作品データを参照できるなど、処理効率の向上に役立つことになる（請求項３）。
【００１８】
　また仮登録された作品データは、必要な他のデータの追加を含む更新処理により、上記作品データ格納手段に対し本登録がなされるようにしても良い（請求項４）。尚、この本登録は、出典更新による場合をその一形態としても良い。
【００１９】
　請求項５〜請求項８までの構成は、上記請求項１〜請求項４までの方法の構成を、作品登録装置の構成として捉え直し、規定したものである。
【００２０】
　そのうち請求項５の作品登録装置の構成は、請求項１の構成に対応しており、具体的な構成としては、
　著作物の作品データを格納する作品データ格納手段と、
　著作物の使用申請に関するデータを格納する使用申請データ格納手段と、
　著作物の使用申請に含まれる著作物の作品データが、前記作品データ格納手段に格納されている著作物の作品データ群中にあるか否かを判定する判定手段と、
　上記使用申請には含まれるが、著作物の作品データ群中に存在しないと判定された著作物の作品データを、新たな作品データを仮登録するものとして、上記作品データ格納手段に格納する登録手段と、
　著作物の使用許諾に伴う上記使用申請に含まれる各著作物の著作権料の請求処理用のデータを作成し出力する請求計算手段と
を有することを特徴としている。
【００２１】
　コンピュータ上に構成された以上のような構成で、請求項１の方法が実行できるようになるが、請求項１の方法の実施には、この装置構成だけに限定されるわけではない。
【００２２】
　請求項６の作品登録装置の構成は、請求項２の構成に対応しており、具体的な構成としては、
　著作物の作品データを格納する作品データ格納手段と、
　著作物の使用申請に関するデータを格納する使用申請データ格納手段と、
　著作物の使用申請に含まれる著作物の作品データが、前記作品データ格納手段に格納されている著作物の作品データ群中にあるか否かを判定する判定手段と、
　上記使用申請には含まれるが、著作物の作品データ群中に存在しないと判定された著作物の作品データを、新たな作品データを仮登録するものとして、上記作品データ格納手段に格納する登録手段と、
　著作物の使用許諾に伴う上記使用申請に含まれる各著作物の著作権料の請求処理用のデータを作成し出力する請求計算手段と、
　前記作品データ格納手段に仮登録された上記著作物の作品データがある場合に、上記使用申請データ格納手段に格納されたデータを基に、作品届提出依頼用のデータ又は公開用のデータを作成し、出力するデータ作成手段と、
　上記提出依頼又は公開により、著作者乃至著作権者から提出された作品届に対応する作品データを、著作者乃至著作権者からの作品届があるデータとして更新する出典更新手段と、
　作品届のある作品データに関し、上記著作権料の納付があった場合の各著作物の著作者乃至著作権者への分配金額を計算して出力する分配金額計算手段と
を有することを特徴としている。
【００２３】
　コンピュータ上に構成された以上のような構成で、請求項２の方法が実行できるようになるが、請求項２の方法の実施には、この装置構成だけに限定されるわけではない。
【００２４】
　請求項７の作品登録装置の構成は、請求項３の構成に対応しており、より具体的には、上記登録手段による仮登録の際、少なくともその著作物とその著作者乃至著作権者とを特定できる作品コードを作品データに補充し、作品データ格納手段及び使用申請データ格納手段に格納することを特徴としている。
【００２５】
　請求項８の作品登録装置の構成は、請求項４の構成に対応しており、より具体的には、仮登録された作品データは、上記登録手段による必要な他のデータの追加を含む更新処理を行って、上記作品データ格納手段に本登録することを特徴としている。
【００２６】
　請求項９〜請求項１２までの構成は、上記請求項１〜請求項４までの方法構成を、コンピュータに実行させるために、該コンピュータで実行可能なプログラムについて規定している。
【００２７】
　すなわち、上述した課題を解決するための構成として、上記各ステップを、コンピュータの構成を利用して実行する、該コンピュータで読み込まれて実行可能なコンピュータ・プログラムにつき開示する。もちろんこれらの構成は、コンピュータ・プログラムとしてだけではなく、後述するように、同様な機能を有するプログラムを記録した記録媒体の構成（請求項１３）として提供されても良いことは言うまでもない。この場合、コンピュータとは中央演算処理装置の構成を含んだ汎用的なコンピュータの構成の他、特定の処理に向けられた専用機などを含むものであっても良く、中央演算処理装置の構成を伴うものであれば特に限定はない。
【００２８】
　上記各ステップを実行させるためのこのようなプログラムが、コンピュータに読み出されると、請求項１〜請求項４に規定された各ステップと同様なステップが実行されることになる。
【００２９】
　また既存のハードウェア資源を用いてこのコンピュータ・プログラムを実行することにより、既存のハードウェアで新たなアプリケーションとしての本発明の方法が容易に実行できるようになる。さらにこのようなコンピュータ・プログラムが前述の記録媒体に記録されることにより、これをソフトウェア商品として容易に配布、販売することができるようになる。加えて記録媒体の構成としては、上述した形式の場合の他、ＲＡＭやＲＯＭなどの内部記憶装置の構成やハードディスクなどの外部記憶装置の構成であっても良く、そのようなプログラムがそこに記録されれば、本発明に規定された記録媒体に含まれることは言うまでもない。
【００３０】
　尚、請求項９〜請求項１２記載の各ステップのうち一部のステップを実行する処理は、コンピュータに組み込まれた機能（コンピュータにハードウェア的に組み込まれている機能でも良く、該コンピュータに組み込まれているオペレーティングシステムや他のアプリケーションプログラムなどによって実現される機能でも良い）によって実現され、前記プログラムには、該コンピュータによって達成される機能を呼び出すあるいはリンクさせる命令が含まれていても良い。
【００３１】
　これは、請求項９〜請求項１２に規定された各ステップの一部が、例えばオペレーティングシステムなどによって達成される機能の一部で代行され、その機能を実現するためのプログラムないしモジュールなどは直接記録されているわけではないが、それらの機能を達成するオペレーティングシステムの機能の一部を、呼び出したりリンクさせるようにしてあれば、実質的に同じ構成となるからである。
【００３２】
　上記プログラムは、それ自身使用の対象となる他、後述のように記録媒体に記録されて配布乃至販売され、また通信などにより送信されて、譲渡の対象とすることもできるようになる。
【００３３】
　そのうち、請求項９の構成は、請求項１の構成に対応する構成であり、その具体的構成は、
　著作物の使用申請に関するアクセスがなされた際に、コンピュータの作品データ格納手段に登録されている著作物の作品データ群中に、上記使用申請に含まれる著作物の作品データがあるか否かを判定するステップと、
　上記使用申請には含まれるが、著作物の作品データ群中に存在しない著作物の作品データを、新たな作品データとして上記作品データ格納手段に仮登録するステップと、
　著作物の使用許諾に伴う上記使用申請に含まれる各著作物の著作権料の請求処理用のデータを作成し出力するステップと
をコンピュータに実行させるコンピュータ・プログラムである。
【００３４】
　請求項１０の構成は、請求項２の構成に対応する構成であり、その具体的構成は、
　著作物の使用申請に関するアクセスがなされた際に、コンピュータの作品データ格納手段に登録されている著作物の作品データ群中に、上記使用申請に含まれる著作物の作品データがあるか否かを判定するステップと、
　上記使用申請には含まれるが、著作物の作品データ群中に存在しない著作物の作品データを、新たな作品データとして上記作品データ格納手段に仮登録するステップと、
　著作物の使用許諾に伴う上記使用申請に含まれる各著作物の著作権料の請求処理用のデータを作成し出力するステップと、
　仮登録された上記著作物の作品データを基に、作品届提出依頼用のデータ又は公開用のデータを作成し、出力するステップと、
　上記提出依頼又は公開が行われて、著作者乃至著作権者から作品届に関するアクセスがなされた際に、上記作品データ格納手段に対し、該作品届に対応する作品データを、著作者乃至著作権者からの作品届があるデータとして更新するステップと、
　作品届のある作品データに関し、上記著作権料の納付があった場合の各著作物の著作者乃至著作権者への分配金額を計算して出力するステップと
をコンピュータに実行させるコンピュータ・プログラムである。
【００３５】
　請求項１１のコンピュータ・プログラムの構成は、請求項３の構成に対応する構成であり、その具体的構成は、上記仮登録の際、少なくともその著作物とその著作者乃至著作権者とを特定できる作品コードを作品データに補充し、上記作品データ格納手段に登録することを特徴としている。
【００３６】
　請求項１２のコンピュータ・プログラムの構成は、請求項４の構成に対応する構成であり、その具体的構成は、仮登録された作品データは、必要な他のデータの追加を含む更新処理により、上記作品データ格納手段に対し本登録がなされることを特徴としている。
【００３７】
　さらに請求項１３の構成は、上述のように、請求項９〜請求項１２いずれか１つに記載のコンピュータ・プログラムが格納されたコンピュータ読み取り可能な記録媒体について規定している。すなわち、これらのコンピュータ・プログラムは、記録媒体に格納されて、取引の対象とすること或いは実際に実行することなども可能である。
【発明の効果】
【００３８】
　以上説明したように、本発明の請求項１〜請求項１３記載の作品登録方法、作品登録装置、コンピュータ・プログラム及び記録媒体によれば、使用申請には含まれるが、著作物の作品データ群中に存在しないと判定された著作物の作品データを、新たな作品データとして仮登録することで、著作権料の請求処理用のデータが作成・出力され、著作者乃至著作権者からの作品届の提出を待たずに、許諾、著作権料の請求・入金確認までの処理ができるようになり、著作物の使用申請をする場合に、即座に許諾が得られ、著作物の使用者と著作者乃至著作権者との間で行われる一連の処理が、円滑に実施されることになるという優れた効果を奏し得るようになる。
【００３９】
　さらに使用申請には含まれるが、著作物の作品データ群中に存在しない著作物の著作者乃至著作権者からの作品届の提出を促し、それが提出された場合に、上記仮登録された作品データの出典更新を行うと共に、更新された作品データに関して、上記著作権料の納付があった場合の各著作物の著作者乃至著作権者への分配金額を計算して出力することで、分配処理までもができるようになる。すなわち、仮登録された作品データでは、許諾、著作権料の請求・入金確認までの処理が可能となるが、さらに、著作者乃至著作権者からの作品届の提出で、仮登録された作品データの出典更新がなされた場合、分配までもが可能になる。
【発明を実施するための最良の形態】
【００４０】
　以下、本発明の実施の形態を図示例と共に説明する。
　図１は、インターネット１００１上で音楽作品の使用申請・許諾・著作権料請求・使用作品の公開・分配が行える本発明の一実施例に係る作品登録システムの構成全体を示す説明図である。
【００４１】
　同図に示すように、本装置は、インターネット１００１上でウェブサイトを提供するウェブサーバ２００１と、該ウェブサーバ２００１に接続され、作品登録のアプリケーションを提供するアプリケーションサーバ２００２と、該アプリケーションサーバ２００２上のアプリケーション処理のデータ検索及びデータストレージで必要とされるデータベース環境を提供するデータベースサーバ２００３、及び特定の対象者向けに必要な情報を配信するメールサーバ２００４とを有している。
【００４２】
　但し上記音楽作品の使用申請及び作品届などの通常のデータの転送に関しては、上記ウェブサーバ２００１と後述する著作物使用者や著作者乃至著作権者のウェブブラウザ３００１、３００２との間で、ＳＳＬ（セキュア・ソケット・レイヤ）などの暗号化技術を使用して行われる。もちろん、使用作品の公開の場合（これはウェブサーバ２００１でのホームページを使用した構成で行う）を除き、データ転送先が決まっているので、上記メールサーバ２００４を使用して行ったり、データを格納したフレキシブルディスクなどを手交乃至郵送などで相手に送付することもできるし、そのようなデータを後述するプリンタなどの出力部２００２ａでプリントアウトし、手交乃至郵送などで送付することもできる。使用申請や作品届などは、所定の形式で紙に記載されたものを受け取り、これを受け取った者が上記アプリケーションサーバ２００２のキーボードなどの入力部２００２ｂでインプットしたり、所定のデータの入力されたフレキシブルディスクからそのようなデータを読み出すようにしても良い。
【００４３】
　また後述する使用申請に関する許諾や請求計算及び分配金額計算の計算結果のデータは、上述のようなウェブサーバ２００１とウェブブラウザ３００１、３００２間でのデータ転送や上記メールサーバ２００４によるメール配信などでも可能であるが、上記出力部２００２ａでプリントアウトし、手交や郵送などで送ることにする。
【００４４】
　図２は、上記システムの機能ブロック構成を示すブロック図である。同図に示すように、本システム構成は、音楽作品の作品データを格納する作品データ格納部１と、音楽作品の使用申請（申請中には使用された音楽作品が複数の場合も含む）に関するデータを格納する使用申請データ格納部２と、該使用申請に含まれる音楽作品の作品データが、前記作品データ格納部１に格納されている音楽作品の作品データ群中にあるか否かを判定する判定部３と、上記使用申請には含まれるが、作品データ格納部１中の作品データ群中に存在しないと判定された音楽作品の作品データに関し、新たな作品データを仮登録するものとして、上記作品データ格納部１に格納する登録部４と、音楽作品の使用許諾に伴う上記使用申請に含まれる各音楽作品の著作権料の請求処理用のデータを作成し出力する請求計算部５と、前記作品データ格納部１に仮登録された上記音楽作品の作品データがある場合（登録部４による仮登録がなされた場合）に、上記使用申請データ格納部２に格納されたデータを基に、作品届提出依頼用のデータ又は公開用のデータを作成し、出力するデータ作成部６と、上記提出依頼又は公開により、著作者乃至著作権者から提出された作品届に対応する作品データを、著作者乃至著作権者からの作品届があるデータとして更新する出典更新部７と、作品届のある作品データに関し、上記著作権料の納付があった場合の各音楽作品の著作者乃至著作権者への分配金額を計算して出力する分配金額計算部８とを有している。
【００４５】
　尚、ウェブサーバ２００１とアプリケーションサーバ２００２上の上記各構成及びデータベースサーバ２００３上の各構成とのデータの入出力制御を行う構成として、制御部９の構成が設けられている。また著作者乃至著作権者からの作品届があった場合に、そのデータを格納しておく作品届データ格納部１０が、設けられている。さらに著作者などからの作品届があった場合に、作品コードのチェック、同一内容の作品データの検索、必要な場合に訂正などの作品届提出依頼の作成を行う作品届提出依頼作成部１１と、作品届による新たな作品登録（新しい作品データの作成）を行う作品データ作成部１２も備えられている。
【００４６】
　上記構成のうち、作品データ格納部１と使用申請データ格納部２及び作品届データ格納部１０は、前記データベースサーバ２００３で構成され、また判定部３、登録部４、請求計算部５、データ作成部６、出典更新部７、分配金額計算部８、制御部９、作品届提出依頼作成部１１、作品データ作成部１２の各構成は、アプリケーションサーバ２００２で構成される。
【００４７】
　以上の構成における処理を、上記図２、図３〜図９及び図１７のフロー説明図、図１０〜図１６の画面遷移を示す図面を用いて詳述する。
【００４８】
　図２及び図３に示すように、音楽作品を用いて例えばＣＤアルバムなどの製品を制作しようとする者が、自己のウェブブラウザ３００１を用いて上記ウェブサーバ２００１にリンクし、そこで上記製品の共通項目及び該製品に収録された作品のデータを入力する。
【００４９】
　図１０はその際の使用申請された製品の共通項目画面であり、また図１１は、そこで使用された音楽作品に関する収録作品一覧画面である。ここで作品データのうち、後述する作品コードが既に分かっているものは最初から入力することになる。しかしそれが分かっていない場合は作品名及び著作者名のみを入れることになる。すると、これらの使用申請データは、上記制御部９により、使用申請データ格納部２に格納（登録）される（ステップＳ１０１）。
【００５０】
　そして、使用申請された製品に収録された作品のデータ中に作品コードのない収録曲が選ばれ（ステップＳ１０２）、上記判定部３によって、該収録曲の作品名や権利者名などを検索キーとしてそれと同一の内容を持つ作品データが、上記作品データ格納部１から検索される（ステップＳ１０３）。
【００５１】
　この検索で、同一の内容を持つ作品データが検索されたか否かがチェックされ（ステップＳ１０４）、同一の内容を持つ作品データが検索された場合（ステップＳ１０４；Ｙ）、後述する図５に示すＢの処理に移行する。反対に同一の内容を持つ作品データが検索されなかった場合（ステップＳ１０４；Ｎ）は、図４に示すＡの処理に移行する。
【００５２】
　作品コードのない収録曲が含まれて使用申請がなされ、同一の内容を持つ作品データが検索されなかった場合（ステップＳ１０４；Ｎ）、前記登録部４により、以下に示すような作品の仮登録がなされる。まず、該登録部４に使用申請に係るデータが渡され（ステップＳ２０１）、作品コードのない収録曲の仮登録処理画面が本システムのオペレータに表示される（ステップＳ２０２）。ここでは前記データの受け渡しで、作品名や権利者名などのデータが該登録部４に受け渡されている。またその他のデータで不足しているものは、前記オペレータにより、入力部２００２ｂを使用して入力される（ステップＳ２０３）。
【００５３】
　その際登録部４により、作品コードが自動採番され（ステップＳ２０４）、その作品コードが収録曲の作品コードとして使用申請データ格納部２中の対応する作品データに付与される（ステップＳ２０５）。また上記登録部４により、作品コード付きの新たな作品データ（但し作品届の提出のない後述する出典Ｓの状態で）として、作品データ格納部１に仮登録される（ステップＳ２０６）。
【００５４】
　上述のようにして、使用申請のなされたものは、全て作品コードのあるものとして扱われるので、前記請求計算部５により、上記製品に含まれる音楽作品に対する使用許諾に伴う上記使用申請に含まれる各音楽作品の著作権料の請求処理用のデータが作成され、出力される（ステップＳ２０７）。同時に上記使用許諾書も請求計算部５により、出力部２００２ａからプリントアウトされ、申請者に送られる。
【００５５】
　他方図４に示すように、仮登録された作品データは、リストアウトされ、オペレータによるチェックと必要なデータの追加要求が出され、その要求が満たされた場合、本登録がなされ、該作品データは更新される（ステップＳ２０８）。図１２は、その時の作品名・内外区分の状態を示す画面表示例を、また図１３は、権利者画面の表示例を示している。ここで、分配保留とは、曲単位の保留区分のことであり、全という字の下に有の文字が付く場合は、全支分権が分配保留という意味になる。また保留とは、権利者単位の保留区分のことであり、図１３の右側の保留部分の下に全と表示される場合は、全支分権が分配保留という意味になる。尚、保留区分に曲単位と権利者単位があるのは、操作（全員を保留にする等）を簡便にする為である。
【００５６】
　他方図３の検索で、同一の内容を持つ作品データが検索された際（ステップＳ１０４；Ｙ）、登録部４に使用申請に係るデータが渡され（ステップＳ３０１）、検索結果が複数か否かがチェックされる（ステップＳ３０２）。検索結果が複数の場合（ステップＳ３０２；Ｙ）は、候補一覧画面がオペレータに表示され（ステップＳ３０３）、その中から、オペレータにより、上記検索キー以外の情報を基に、特定のものが指示される（ステップＳ３０４）。このようにして特定された作品データには、すでに作品コードが付与されているので、該作品コードを、使用申請に係る対応する作品データ中に付与し使用申請データ格納部２に格納する（ステップＳ３０５）。
【００５７】
　ここでも、以上のようにして、使用申請のなされたものは、全て作品コードが存在することになり、前記請求計算部５により、上記製品に含まれる音楽作品に対する使用許諾に伴う上記使用申請に含まれる各音楽作品の著作権料の請求処理用のデータが作成され、出力される（ステップＳ３０６）。同時に上記使用許諾書も請求計算部５により、出力部２００２ａからプリントアウトされ、申請者に送られる。また前記図３のステップＳ１０２のチェックにより、作品コードの付いていない作品データがないと判定された場合には（ステップＳ１０２；Ｎ）、同様に、該請求計算部５によって、上記製品に含まれる音楽作品に対する使用許諾に伴う上記使用申請に含まれる各音楽作品の著作権料の請求処理用のデータが作成・出力され、同時に上記使用許諾書も請求計算部５により、出力部２００２ａからプリントアウトされ、申請者に送られる（ステップＳ３０６）。
【００５８】
　上記のステップＳ２０７における請求処理用データの作成・出力処理の場合を含め、この場合に行われる請求計算処理は、次の手順で行われる。１）１作品毎の使用料が計算される。２）出典＝Ｓの作品に保留区分（分配を保留するためのフラッグ）がつけられる。３）使用物（製品）毎の使用料が計算され（１作品毎の使用料を合算する）請求明細書（請求書）が作成される。
【００５９】
　次に上記登録部４による作品データの仮登録がなされたことで、前記データ作成部６の構成により、図６に示すように、使用申請データ格納部２から作品届が提出されていない作品データ（出典がＳの状態のデータ）が収録された使用申請データが読み出され（ステップＳ４０１）、上記データ作成部６により、その作品利用状況が、ＨＴＭＬ文として自動生成される（ステップＳ４０２）。具体的には、図７に示すように、作品届が提出されていない作品データが収録された使用申請データには、該作品データの他に使用申請された製品の＜製品情報＞並びに作品届提出済作品の＜収録情報＞が含まれ、上記の製品の＜製品情報＞に続けて、作品届の提出のない作品データ及び作品届提出済の作品データを製品への収録の順番に並べて＜収録情報＞として上記＜製品情報＞と併せ、ＨＴＭＬ文として自動生成される。自動生成されたデータは、該データ作成部６によって、制御部９を介してウェブサーバ２００１に送られ、インターネット１００１のウェブサーバ２００１上で公開される（ステップＳ４０３）。
【００６０】
　ここで公開される作品使用状況の画面表示例を示す上記図７について更に詳細に説明する。同図に示される＜製品情報＞とは、使用申請された製品に固有の情報で、該製品の製造販売事業者である使用者を識別するコードと使用者の名称、該製品を識別する製品番号（カタログ番号）、製品名（使用物名）、種目、種別、発売日、アーチスト名で構成される。また＜収録情報＞とは、該製品に使用（収録）された全ての作品の情報で各作品データ毎に、収録番号、該作品の作品届が提出されているか否かを示す区分（未であれば作品届未提出、済であれば作品届提出済）、原盤がインポート（輸入）であるかローカル（日本国内）であるかを識別するIL、インストゥルメンタル使用であるかボーカル使用であるかを識別するIV、作品コード、作品名、著作者名で構成される。尚著作者名は該作品の著作者が複数であれば複数表示しても良い。
【００６１】
　またこのような公開の方法によらず、著作者名と作品名が明らかな場合は、直接作品届提出依頼文を作成し、作品利用状況と共に、該著作者宛に、メール配信乃至郵送などにより（或いはこれらの内容をプリントアウトしたものを郵送乃至手交で）、作品届提出依頼を行っても良い。
【００６２】
　図１４はこのような仮登録された作品データを基に著作者宛に送られた作品届提出依頼の画面表示例を示している。ここで、出典のＳＭ（録音実績）とは、録音で使用申請（使用実績）があるため登録したという意味であり、そのうちＳは出典が使用申請に係るものではあるが作品届が提出されていない状態を示している。
【００６３】
　その後、該当する音楽作品の著作者などから、そのウェブブラウザ３００２を介して、上記ウェブサーバ２００１にアクセスがあると、該著作者などから作品届提出依頼及び作品利用状況表の作成の要求があったか否かがチェックされ（ステップＳ４０４）、その要求があった場合（ステップＳ４０４；Ｙ）、上記作品届提出依頼作成部１１により、ウェブサーバ２００１を介して、著作者側のウェブブラウザ３００２に、作品届提出依頼及び作品利用状況表が表示され（ステップＳ４０５）、該ブラウザ３００２でプリントアウトできるようになる。
【００６４】
　以上のようにして作品届が提出されていない作品データの作品利用状況が公開され、著作者などがそれを知ることで、これらの者は、作品届を提出する機会が与えられる。
【００６５】
　以上のようにして作品届が提出されていない作品データでも、その作品利用状況が公開されたり、作品届提出依頼がなされることで、著作者などがそれを知ることができる。その際公開されるデータは、作品名以外に、使用物名（アルバムタイトル）、カタログ番号、使用者名（レコード会社名）などをキーとしてアクセスすることができ、著作者などが作品の利用状況をより早く、より簡単に知ることが可能となる。それに応じてこれらの者により、自己のウェブブラウザ３００２を介して、作品届が提出された場合、図８に示すように、それらの作品届に含まれるデータは、上記作品届提出依頼作成部１１により、作品届データ格納部１０に格納される（ステップＳ５０１）。この時その届には各受け付け番号が付与される。図１５は、その作品届データ格納部１０に格納されるべきデータの入力必須項目を示している。また図１６は、音楽出版者用に用意された作品届の表示画面例である。
【００６６】
　そして作品届に作品コードが記入されているか否かがチェックされる（ステップＳ５０２）。作品コードの記入がない場合（ステップＳ５０２；Ｎ）、後述する図９の処理に移行する。反対に作品コードの記入がある場合（ステップＳ５０２；Ｙ）、作品届提出依頼作成部１１により、記入された作品コードを基に、作品データ格納部１の作品データが検索される（ステップＳ５０３）。この検索でその作品コードの付いた作品データがあるか否かがチェックされる（ステップＳ５０４）。
【００６７】
　作品コードの付いた作品データが存在する場合（ステップＳ５０４；Ｙ）、前記出典更新部７により、作品届データ格納部１０における受け付け番号が付与され、且つ作品届の提出がある旨の出典変更（上記出典Ｓ→Ｐの状態に移行する）がなされ、これらの内容で（著作者などからの作品届のあるデータとして）、作品データ格納部１における該当する作品データが更新される（ステップＳ５０５）。
【００６８】
　反対にこの作品コードの付いた作品データが存在しない場合（ステップＳ５０４；Ｎ）、作品届の作品コードが間違っている可能性があり、作品届に記載された作品名・権利者名などのデータと同一内容を持つ作品データが、上記作品届提出依頼作成部１１により、作品データ格納部１で検索される（ステップＳ５０６）。そして同一内容を持つ作品データがあるか否かがチェックされ（ステップＳ５０７）、同一内容を持つ作品データがある場合（ステップＳ５０７；Ｙ）、訂正のための作品届提出依頼が作成され（ステップＳ５０８）、それがインターネット１００１を介して（メールなどで）通知される（ステップＳ５０９）。或いは訂正のための作品届提出依頼がプリントアウトされたものを送付するようにしても良い。反対に同一内容を持つ作品データがない場合（ステップＳ５０７；Ｎ）、後述する図１７の作品届による作品の登録で処理がなされる（ステップＳ５１０）。
【００６９】
　また前記ステップＳ５０２で提出された作品届に作品コードが含まれていない場合（ステップＳ５０２；Ｎ）も、図９に示すように、作品届に記載された作品名・権利者名などのデータと同一内容を持つ作品データが、作品届提出依頼作成部１１により、作品データ格納部１で検索される（ステップＳ６０１）。同一内容を持つ作品データがあるか否かがチェックされ（ステップＳ６０２）、同一内容を持つ作品データが存在する場合（ステップＳ６０２；Ｙ）、作品届データ格納部１０の該作品データに、当該作品コードが付与され、作品届データ格納部１０が更新される（ステップＳ６０３）。そして上記出典更新部７により、作品届データ格納部１０における受け付け番号が付与され、且つ作品届の提出がある旨の出典変更がなされ、これらの内容で、作品データ格納部１における該当する作品データが更新される（ステップＳ６０４）。
【００７０】
　反対に同一内容を持つ作品データが存在しない場合（ステップＳ６０２；Ｎ）、後述する図１７の作品届による作品の登録で処理がなされる（ステップＳ６０５）。
【００７１】
　以上のような出典更新処理が終了すると（使用申請を行った者からの入金が確認できているか否かを問わない）、上記分配金額計算部８によって、以下の［step１］及び［step２］に示す分配計算処理がなされる。
【００７２】
　［step１］１）上記請求計算時の計算結果のデータが使用され、１作品毎の使用料が著作者乃至著作権者に配分される。この時、請求計算結果データに保留区分があれば、著作者・著作権者のデータにも保留区分が複写され、保留扱いにされる。２）保留区分がある著作者・著作権者のデータが保留データ格納部（図示なし）に追加（累積）され、分配の対象にはされない。３）保留区分がない著作者・著作権者のデータにより分配（送金）すべき金額が計算される。
【００７３】
　［step２］１）上記保留データ格納部にあるデータの作品コードをキーに、改めて作品データ格納部１が検索され、作品データ格納部１上に保留がない状態（出典＝Ｐ）であれば、分配（送金）すべき金額が計算される。
【００７４】
　上述のとおり、請求計算時に保留区分（フラッグ）のついたデータは、分配計算処理時の上記［step１］で、一度保留にされた後、［step２］で、改めて作品データ格納部１の登録内容が参照され、保留が無くなっていれば、上記分配金額計算部８によって、分配計算処理が行われることになる。
【００７５】
　図１７は、作品届による作品データ格納部１への作品データの登録処理の手順を示すフローチャートである。
【００７６】
　図８のステップＳ５０７又は図９のステップＳ６０２で同一内容の作品データがないと判断され、次のステップとして作品届による作品データ格納部１への作品データの登録処理が行われる（ステップＳ５１０又はステップＳ６０５）が、その処理では、図１７に示すように、まず作品コード有り（ステップＳ５１０）或いは無し（ステップＳ６０５）の状態で、上記作品データ作成部１２に、作品届データが受領される（ステップＳ７０１）。そして作品届データの内容によって、作品データを直ちに作成するか、或いは別ルートで作品データが作成される（外国作品の場合別ルートで作品データが作成される）のを待つかが判断される（ステップＳ７０２）。
【００７７】
　作品データの作成の必要性があると判断された場合（ステップＳ７０２；Ｙ）、作品届データの登録内容に基づき、上記作品データ作成部１２により、作品データが新規に作成され、作品データ格納部１に格納される（ステップＳ７０３）。そして、作品コードが自動採番され、作品データ格納部１に追加登録される（ステップＳ７０４）。
【００７８】
　他方作品データの作成の必要性がないと判断された場合（ステップＳ７０２；Ｎ）、作品届データはそのまま作品届データ格納部１０に保存される（ステップＳ７０５）。
【００７９】
　尚（作品届提出依頼などがなく）著作者などから自主的に作品届が提出された場合には、（オンラインによる届出ではなく届出用紙により提出された場合はそれを受け取ったオペレータによるデータ打ち込みがなされた後）図１７のＳ７０１以下のステップで、同様に処理されることになる。
【００８０】
　以上詳述した本実施例構成によれば、上記判定部３の判定において、使用申請には含まれるが、作品データ格納部１に格納される作品データ群中に存在しないと判定された音楽作品の作品データを、新たな作品データとして、該作品データ格納部１に仮登録することで、著作権料の請求処理用のデータが作成・出力され、著作者などからの作品届の提出を待たずに、許諾、著作権料の請求・入金確認までの処理ができるようになる。すなわち作品データが仮登録された状態では、許諾、著作権料の請求・入金確認までの処理が可能となる。従って、音楽作品の使用申請をする場合に、音楽などの著作権を管理する者から即座に許諾が得られ、音楽作品の使用者と著作者などとの間で行われる一連の処理が、円滑に実施されることになる。
【００８１】
　さらに、上記データ作成部６によって作成されたデータが公開される（或いは作品届提出依頼が出される）などにより、使用申請には含まれるが、作品データ格納部１に格納される作品データ群中に存在しない音楽作品に関して、著作者などからの作品届の提出が促されるため、それが提出された場合に、上記出典更新部７により、仮登録された作品データの出典更新がなされる。それと共に、更新された作品データに関して、分配金額計算部８の構成により、各著作物の著作者などへの分配金額が計算されて出力せしめられることで、上記著作権料の納付があった場合は、分配処理までもができるようになる。すなわち、仮登録された作品データでは、許諾、著作権料の請求・入金確認までの処理が対象となるが、さらに著作者などからの作品届の提出で、仮登録された作品データの出典更新がなされた場合、分配までもが可能になる。
【００８２】
　尚、本発明の作品登録方法は、上述の実施例にのみ限定されるものではなく、本発明の要旨を逸脱しない範囲内において種々変更を加え得ることは勿論である。
【００８３】
　たとえば以上の実施例では、著作者乃至著作権者が当初作品届を提出していなくても後に該届を提出し、著作権の信託をしてくるケースを想定しているが、仮に信託をしてこない場合、請求を行って受け取った著作権料は、返金することになる。しかし往々にしてそのような信託をしないケースは最初から想定できる（そのような信託をしない著作者などは特定の人に限られる）ので、著作権料の請求処理用のデータを作成し出力するステップで、請求金額を０円として扱う（実質的に請求しない）ことになる。
【００８４】
　また上記実施例構成では、音楽作品などを用いて音楽用コンパクトディスク（ＣＤ）などの製品が作成された場合の作品登録による例を説明したが、それに限定されず、録音、ビデオグラム、出版、演奏、放送、通信カラオケ、レンタル製品の貸与、インタラクティブ配信などにおける、著作物の使用申請に基づく仮作品の登録による許諾・著作権料の請求、及び入金確認後の該使用申請に基づく作品届のあったものへの著作権料の分配などがなされる場合にも適用でき、さらに音楽以外の他の著作物（例えば映画を含む、文芸・学術・美術の著作物など）にも適用できることは言うまでもない。
【図面の簡単な説明】
【００８５】
【図１】インターネット１００１上で音楽作品の使用申請などが行える本発明の一実施例に係る作品登録システムの構成全体を示す説明図である。
【図２】上記システムの機能ブロック構成を示すブロック図である。
【図３】音楽作品の使用申請を行った場合の処理フローを示すフローチャートである。
【図４】上記処理フローの続きを示すフローチャートである。
【図５】同じく上記処理フローの続きを示すフローチャートである。
【図６】データ作成部における処理フローを示すフローチャートである。
【図７】公開される作品利用状況の画面表示例を示す画面構成説明図である。
【図８】作品コード付きの作品届が提出された場合の処理フローを示すフローチャートである。
【図９】作品コード無しの作品届が提出された場合の処理フローを示すフローチャートである。
【図１０】使用申請を行った場合に共通項目を入力するために表示される画面構成説明図である。
【図１１】使用申請を行った場合に使用した作品データを入力するために表示される画面構成説明図である。
【図１２】本登録時の作品名・内外区分の状態を示す画面表示例を示す画面構成説明図である。
【図１３】本登録時の権利者画面の表示例を示す画面構成説明図である。
【図１４】仮登録された作品データを基に著作者宛に送られた作品届提出依頼の画面表示例を示す画面構成説明図である。
【図１５】作品届データ格納部１０に格納されるべきデータの入力必須項目を示す画面構成説明図である。
【図１６】音楽出版者用の作品届の表示画面例を示す画面構成説明図である。
【図１７】作品届による作品データ格納部１への作品データの登録処理の手順を示すフローチャートである。
【符号の説明】
【００８６】
　　　１　　　　　　作品データ格納部
　　　２　　　　　　使用申請データ格納部
　　　３　　　　　　判定部
　　　４　　　　　　登録部
　　　５　　　　　　請求計算部
　　　６　　　　　　データ作成部
　　　７　　　　　　出典更新部
　　　８　　　　　　分配金額計算部
　　　９　　　　　　制御部
　　１０　　　　　　作品届データ格納部
　　１１　　　　　　作品届提出依頼作成部
　　１２　　　　　　作品データ作成部
１００１　　　　　　インターネット
２００１　　　　　　ウェブサーバ
２００２　　　　　　アプリケーションサーバ
２００２ａ　　　　　出力部
２００２ｂ　　　　　入力部
２００３　　　　　　データベースサーバ
２００４　　　　　　メールサーバ
３００１、３００２　ウェブブラウザ
【図１】
2004046890.tif 000003
【図２】
2004046890.tif 000004
【図３】
2004046890.tif 000005
【図４】
2004046890.tif 000006
【図５】
2004046890.tif 000007
【図６】
2004046890.tif 000008
【図７】
2004046890.tif 000009
【図８】
2004046890.tif 000010
【図９】
2004046890.tif 000011
【図１０】
2004046890.tif 000012
【図１１】
2004046890.tif 000013
【図１２】
2004046890.tif 000014
【図１３】
2004046890.tif 000015
【図１４】
2004046890.tif 000016
【図１５】
2004046890.tif 000017
【図１６】
2004046890.tif 000018
【図１７】
2004046890.tif 000019